(57)【要約】【課題】髪の毛のボリュームを多く見せることができる画像を生成可能な写真撮影装置及び画像処理方法を提供する。【解決手段】本発明に係る写真撮影装置は、被写体を撮影して撮影画像を取得する撮影部と、前記撮影画像から前記被写体の髪の毛と対応する髪領域を抽出した髪画像を生成する抽出部と、前記髪画像を、前記撮影画像の被写体の前記髪領域と少なくとも一部が重なるように合成した合成画像を生成する合成部と、前記撮影画像及び合成画像の少なくとも一方を表示する表示部と、を備えている。【選択図】図２３
2018197796.tif 000002
【特許請求の範囲】
【請求項１】
被写体を撮影して撮影画像を取得する撮影部と、
前記撮影画像から前記被写体の髪の毛と対応する髪領域を抽出した髪画像を生成する抽出部と、
前記髪画像を、前記撮影画像の被写体の前記髪領域と少なくとも一部が重なるように合成した合成画像を生成する合成部と、
前記撮影画像及び合成画像の少なくとも一方を表示する表示部と、
を備えている、写真撮影装置。
【請求項２】
前記合成部は、前記髪画像を、前記髪領域から所定長さだけ顔の上方にずらして合成を行う、請求項１に記載の写真撮影装置。
【請求項３】
前記撮影画像から前記被写体の顔を構成するパーツを少なくとも１つ検出する顔検出部を更に備え、
前記検出したパーツに基づいて前記紙画像をずらせる方向を決定する、請求項２に記載の写真撮影装置
【請求項４】
前記合成部は、前記髪画像と前記撮影画域とを比較暗合成する、請求項１から３のいずれかに記載の写真撮影装置。
【請求項５】
前記抽出部は、
前記撮影画像から前記髪領域を透過するマスク画像を生成し、
前記マスク画像に基づいて、前記撮影画像から前記髪領域を生成する、請求項１から４のいずれかに記載の写真撮影装置。
【請求項６】
前記表示部は、前記前記撮影画像及び前記合成画像を切替えて表示可能に構成されている、請求項１から５のいずれかに記載の写真撮影装置。
【請求項７】
被写体が写る撮影画像を取得するステップと、
前記撮影画像から前記被写体の髪の毛と対応する髪領域を抽出した髪画像を生成するステップと、
前記髪画像を、前記撮影画像の被写体の髪領域と少なくとも一部が重なるように合成するステップと、
を備えている、画像処理方法。
【発明の詳細な説明】
【技術分野】
【０００１】
本発明は、写真撮影装置及び画像処理方法に関する。
【背景技術】
【０００２】
近年、証明写真を撮影する撮影装置では、写真の見栄えをよくするため、種々の編集作業が行えるようになっている。例えば、特許文献１には、肌の色、髪の毛の色などを調整することができる装置が開示されている。
【先行技術文献】
【特許文献】
【０００３】
【特許文献１】特開２０１５−１６５２５８号公報
【発明の概要】
【発明が解決しようとする課題】
【０００４】
ところで、証明写真を撮影する撮影装置では、ストロボによる光の照射によって髪の一部が白く写ることがあり、これによって実際よりも髪の毛のボリュームが少ないように見える写真が生成されることがある。これにより、写真における被写体の見栄えが低下するおそれがある。本発明は、この問題を解決するためになされたものであり、髪の毛のボリュームを多く見せることができる画像を生成可能な写真撮影装置及び画像処理方法を提供することを目的とする。
【課題を解決するための手段】
【０００５】
本発明に係る写真撮影装置は、被写体を撮影して撮影画像を取得する撮影部と、前記撮影画像から前記被写体の髪の毛と対応する髪領域を抽出した髪画像を生成する抽出部と、前記髪画像を、前記撮影画像の被写体の前記髪領域と少なくとも一部が重なるように合成した合成画像を生成する合成部と、前記撮影画像及び合成画像の少なくとも一方を表示する表示部と、を備えている。
【０００６】
本発明に係る画像処理方法は、被写体が写る撮影画像を取得するステップと、前記撮影画像から前記被写体の髪の毛と対応する髪領域を抽出した髪画像を生成するステップと、前記髪画像を、前記撮影画像の被写体の髪領域と少なくとも一部が重なるように合成するステップと、を備えている。
【発明の効果】
【０００７】
本発明によれば、髪の毛のボリュームを多く見せることができる画像を生成することができる。
【図面の簡単な説明】
【０００８】
【図１】本発明の一実施形態に係る写真撮影装置の側面図である。
【図２】図１の写真撮影装置の内部の前面パネルの正面図である。
【図３】図１の写真撮影装置のハードウェア構成を示すブロック図である。
【図４】図１の写真撮影装置の機能構成を示す図である。
【図５】撮影処理のフローチャートである。
【図６】撮影処理においてモニタに表示される画面を示す図である。
【図７】撮影処理においてモニタに表示される画面を示す図である。
【図８】撮影処理においてモニタに表示される画面を示す図である。
【図９】撮影処理においてモニタに表示される画面を示す図である。
【図１０】撮影処理においてモニタに表示される画面を示す図である。
【図１１】撮影処理においてモニタに表示される画面を示す図である。
【図１２】撮影処理においてモニタに表示される画面を示す図である。
【図１３】撮影処理においてモニタに表示される画面を示す図である。
【図１４】撮影処理においてモニタに表示される画面を示す図である。
【図１５】撮影処理においてモニタに表示される画面を示す図である。
【図１６】撮影処理においてモニタに表示される画面を示す図である。
【図１７】撮影処理においてモニタに表示される画面を示す図である。
【図１８】撮影処理においてモニタに表示される画面を示す図である。
【図１９】撮影処理においてモニタに表示される画面を示す図である。
【図２０】撮影処理においてモニタに表示される画面を示す図である。
【図２１】増毛編集処理を説明する図である。
【図２２】増毛編集処理を説明する図である。
【図２３】増毛編集処理を説明する図である。
【図２４】増毛編集処理の他の例を説明する図である。
【図２５】増毛編集処理の他の例を説明する図である。
【発明を実施するための形態】
【０００９】
以下、本発明に係る写真撮影装置の一実施形態について、図面を参照しつつ説明する。本実施形態に係る写真撮影装置は、証明写真等の撮影画像の生成と印刷を行うものであり、特に、後述するように、撮影画像に対して編集を行うことができるものである。まず、この写真撮影装置の全体構造について説明する。
【００１０】
＜１．全体構造＞
図１は、本実施形態に係る写真撮影装置の側面図、図２は図１の写真撮影装置の内部の前面パネルの正面図である。
【００１１】
図１に示すように、この写真撮影装置は、直方体状の筐体１を備えており、この筐体１の側面に内部の撮影空間１０に通じる出入口１１が形成されている。この出入口１１の上縁にはカーテンレール１２が取り付けられており、このカーテンレール１２には、図示を省略するカーテンが取り付けられている。これにより、ユーザが撮影を行う際にはカーテンを閉じて外部から見えないようにすることができる。また、筐体１の側面において、出入口１１の側方には、後述するプリンタによりプリントされた写真プリントの取出口１３が設けられている。
【００１２】
撮影空間１０には、ユーザが座る、高さ調整可能な椅子１４が配置され、その前方にはカメラやモニタなどが配置された前面パネル２が設けられている。一方、椅子１４の背後には、撮影時に、背景となる背面パネル３が設けられており、白などの薄い色の単一色に着色されている。
【００１３】
次に、前面パネル２について説明する。図２に示すように、前面パネル２の中央には、モニタ２１が配置されており、このモニタ２１の上方にカメラ２２が配置されている。モニタ２１は、タッチパネル式の液晶モニタであり、撮影の手順を示したり、カメラ２２で撮影された静止画あるいは動画を表示するようになっている。また、ユーザは、モニタをタッチすることで撮影画像や撮影手順の選択を行うことができる。
【００１４】
モニタ２１の右側には、ケーブル２３１を介して接続されたシャッターボタン２３が設けられている。ユーザは、このシャッターボタン２３を押下することで、シャッターをきることができる。また、カメラ２２の上方及びモニタ２１の下方にはストロボユニット２４，２５が配置されており、被写体であるユーザに対し、上方及び下方から光を照射するようになっている。さらに、モニタ２１の左側には、コイン投入口２６及びおつりの取出口２７が設けられている。
【００１５】
なお、背面パネル３は、乳半等の光を透過するようなものとすることもできる。この場合、背面パネル３の後方にスロトボを配置する。撮影時にこのストロボにより背面パネル３を通じて被写体を後方から光を照射する。
【００１６】
＜２．写真撮影装置のハードウェア構成＞
次に、本実施形態に係る写真撮影装置のハードウェア構成について説明する。図３は、写真撮影装置のハードウェア構成を示すブロック図である。
【００１７】
図３に示すように、本実施形態に係る写真撮影装置は、制御部３１、記憶部３２、外部インタフェース３３、及びドライブ３４が電気的に接続されたコンピュータを備えている。なお、図３では、外部インタフェース３３を「外部Ｉ／Ｆ」と記載している。そして、外部インターフェース３３には、タッチパネルが積層されたタッチ式モニタ２１、カメラ２２、シャッターボタン２３、ストロボユニット２４，２５、コイン処理部２８、プリンタ２９等が接続されている。
【００１８】
制御部３１は、ＣＰＵ（Central Processing Unit）、ＲＡＭ（Random Access Memory）、ＲＯＭ（Read Only Memory）等を含み、情報処理に応じて各構成要素の制御を行う。記憶部３２は、例えば、ハードディスクドライブ、ソリッドステートドライブ等の補助記憶装置であり、制御部３１で実行される撮影処理プログラム３２１、撮影画像に係る各種のデータ３２２等を記憶する。撮影処理プログラム３２１は、写真撮影や撮影画像の編集を行うための処理を写真撮影装置に実行させるためのプログラムである。
【００１９】
外部インタフェース３３は、ＵＳＢ（Universal Serial Bus）ポート等であり、カメラ２２等の外部装置と接続するためのインタフェースである。
【００２０】
ドライブ３４は、例えば、ＣＤ（Compact Disk）ドライブ、ＤＶＤ（Digital Versatile Disk）ドライブ等であり、記憶媒体４に記憶されたプログラムを読み込むための装置である。ドライブ３４の種類は、記憶媒体４の種類に応じて適宜選択されてよい。上記撮影処理プログラム３２１及び／又は各種データ３２２は、この記憶媒体４に記憶されていてもよい。
【００２１】
記憶媒体４は、コンピュータその他装置、機械等が記録されたプログラム等の情報を読み取り可能なように、このプログラム等の情報を、電気的、磁気的、光学的、機械的又は化学的作用によって蓄積する媒体である。ここで、図３では、記憶媒体４の一例として、ＣＤ、ＤＶＤ等のディスク型の記憶媒体を例示している。しかしながら、記憶媒体４の種類は、ディスク型に限定される訳ではなく、ディスク型以外であってもよい。ディスク型以外の記憶媒体として、例えば、フラッシュメモリ等の半導体メモリを挙げることができる。
【００２２】
なお、写真撮影装置の具体的なハードウェア構成に関して、実施形態に応じて、適宜、構成要素の省略、置換及び追加が可能である。例えば、制御部３１は、複数のプロセッサを含んでもよい。
【００２３】
次に、外部インターフェース３３に接続される各種装置について説明する。カメラ２２は、上述したように前面パネル２に配置されており、制御部３１による制御にしたがって撮影を行い、撮影によって得られた撮影画像を制御部３１のＲＡＭまたは記憶部３２に記憶する。この写真撮影装置では、ユーザが座る椅子１４の位置が決まっているため、カメラ２２とユーザとの距離は概ね決まっている。そのため、カメラ２２の焦点距離は一定にされているが、必要に応じて制御部３１は、カメラ２２の焦点距離を適切なものとするように制御する。
【００２４】
そして、シャッターボタン２３が押下されると、その信号に基づいて、制御部３１は、カメラにより被写体の静止画を撮影する。また、カメラ２２は、静止画を撮影するほか、リアルタイムに画像を取り込んで当該画像を表す画像信号を出力する。カメラ２２から出力された画像信号は制御部３１のＲＡＭに一時的に記憶されるとともに、モニタ２１に送信され、当該画像信号に基づくライブ映像を表示することができる。また、モニタ２１には、上記撮影処理プログラム３２１に基づいて、撮影手順が表示される。さらに、モニタ２１は、上述したようにタッチ式であるため、モニタ２１に対するユーザからのタッチが検出されると、制御部３１は、このタッチによる入力に応じた処理を行う。
【００２５】
制御部３１は、ストロボユニット２４，２５の内部に設けられる電灯（蛍光灯など）を制御することで、ユーザによる撮影処理の段階に応じて撮影空間１０内の明るさを調整する。
【００２６】
コイン処理部２８は、各種のセンサによりコイン投入口２６に対するコインの投入を検出する。コイン処理部２８が、撮影に要する金額分のコインが投入されたことを検出した場合、そのことを表す起動信号を制御部３１に出力する。なお、コイン処理部２８は、電子マネーやクレジットカードによるプレイ料金の支払を受け付け、当該起動信号を制御部９に出力するようなものとすることもできる。
【００２７】
プリンタ２９は、筐体１に内蔵されており、制御部３１による制御にしたがって、撮影された撮影画像または編集後の編集画像をプリントし、これを、上述した筐体１側面の取出口１３から供給する。
【００２８】
＜３．写真撮影装置の機能的構成＞
次に、図４を参照しつつ、本実施形態に係る写真撮影装置の機能構成の一例を説明する。図４は、本実施形態に係る写真撮影装置の機能構成の一例を模式的に例示する。
【００２９】
図３に示すように、写真撮影装置の制御部３１は、記憶部３２に記憶された撮影処理プログラム３２１をＲＡＭに展開する。そして、制御部３１は、ＲＡＭに展開された撮影処理プログラム３２１をＣＰＵにより解釈及び実行して、各構成要素を制御する。これによって、図４に示すように、本実施形態に係る写真撮影装置は、撮影処理部５１、撮影画像取得部５２、編集部５３、及び出力部５４を備えるコンピュータとして機能する。また、編集部５３には、抽出部５３１及び合成部５３２が備えられている。
【００３０】
撮影処理部５１は、撮影の手順をモニタ２１に表示するとともに、ユーザからの指示をモニタ２１に対するタッチ操作にて受け付け、それに基づく表示や処理を行う。撮影画像取得部５２は、カメラ２２によって被写体を撮影し、撮影画像を取得する。編集部５３は、取得された撮影画像を編集するための画像処理を行う。そして、出力部５４は、最終的に得られた画像を紙媒体に印刷し、プリンタ２９から出力する。
【００３１】
＜４．写真撮影装置における処理手順＞
続いて、本実施形態に係る写真撮影装置における撮影手順及び画像処理について、図５のフローチャートを参照しつつ説明する。
【００３２】
以下の処理では、上述した撮影処理部５１が、モニタ２１に撮影処理のための所定の画面を表示していく。まず、図６に示すように、モニタ２１に、証明写真の種類を選択させる画面を表示される（ステップＳ１）。ここでは、履歴書用写真、運転免許証用写真、パスポート／マイナンバー用写真、大型／中型写真を示す４種類のボタン６１１が表示され、ユーザは、この中のいずれかを選択する。ユーザがいずれかのボタン６１１をタッチすると、図７に示す選択の確認用の画面が表示される。ここで、「はい」のボタン６１２をタッチすると、選択した種類の写真の撮影処理が開始される。一方、「選び直し」のボタン６１３を選択すると、１つ前の画面に戻り、再度の選択が可能となる。そして、図７の画面の「はい」のボタン６１２をタッチすると、図８に示す料金表示用の画面が表示される。これに対して、ユーザが表示された料金をコイン投入口２６に投入すると、これに続く撮影処理が開始される。なお、図７のような選択の確認用の画面は、本実施形態の撮影処理を通じて、ユーザが何らかの選択を行う場合には概ね表示されるが、手順は同じであるため、以下では、この画面の説明を省略する。また、モニタ２１の下端部には、「１つ前に戻る」、「最初からやり直す」、及び「次へ進む」のボタン６１４〜６１６のうちのいくつかが適宜表示されることがあるため、ユーザはこれらをタッチしながら、撮影処理を進めていく。
【００３３】
コインが適切に投入されると、図９に示すように、モニタ２１には、ユーザの性別を選択する画面が表示される（ステップＳ２）。ユーザが、「男」、「女」のいずれかのボタン６１７をタッチすると、モニタ２１には、図１０に示すように、撮影前の準備画面が表示される。この準備画面には、男女別に撮影前に注意すべき点が表示される。例えば、図１０は、「男」が選択された場合の注意事項が記載されており、男女の共通の注意事項のほか、ネクタイに関する注意事項など、男性特有の注意事項が表示される（ステップＳ３）。この点は、「女」を選択した場合にも同様であり、髪の毛でジャケットやブラウスの襟が隠れていないかなど、女性特有の注意事項が表示される。
【００３４】
このとき、単に、モニタ２１に注意事項を表示するほか、図１０に示すように、各注意事項にチェックを入れるために、モニタ２１をタッチさせたり、あるいは注意事項が履行されていない場合に、処理が進まないようにすることもできる。例えば、カーテンを閉めていない場合には、これを検知し、「次へ進む」ボタン６１６をタッチしても処理が進まず、カーテンを閉めることを促す画面を表示することもできる。すべての注意事項が履行されるまで「次へ進む」ボタン６１６を無効や非表示にする。なお、注意事項の履行をチェックする場合には、カーテンの開閉、荷物の置き場所などを検知するセンサを別途設け、制御部３１によりこれらを制御するように構成しておく必要がある。
【００３５】
図１０に示す注意事項の画面から「次へ進む」ボタン６１６をタッチすると、図１１に示すように、椅子の高さの調整方法をユーザに通知する（ステップＳ３）。これに続いて、「次へ進む」ボタン６１６をタッチすると、図１２の撮影のポイントに関する画面が表示される。図１１の画面には、例として、姿勢、口角、及び目力が綺麗に撮影をするためのポイントとして表示され、「次に進む」ボタン６１６をタッチすると、各ポイントの注意点を示す画面が順に表示される。例えば、図１３は、姿勢に関するポイント及びそれを説明する説明図あるいは説明用の動画６２６が表示されている。このポイントについても、例えば、男女で異なる説明をしてもよい。
【００３６】
そして、ユーザがこれらの撮影のポイントに関する画面をすべて見終わると、撮影が始まる。図１４は、撮影開始を説明する画面である。この画面には、ユーザにシャッターボタン２３を操作したときに、シャッターがきれることが表示されている。そして、ＯＫボタン６２７をタッチすると、図１５に示す画像がモニタ２１に表示される。
【００３７】
図１５に示すように、この画面には、カメラ２２で撮影されたライブ画像を表示する矩形状の撮影画像領域６２１と、撮影位置の説明６２２と、カウントダウン用の数字６２９とが表示されている。撮影画像領域６２１には、目の高さの概ねの位置を示す帯状の目配置領域６２３と、撮影画像領域６２１の左右の中心を上下方向に延びる垂直ガイド線６２４と、概ね被写体の肩の位置付近を左右に延びる水平ガイド線６２５と、が表示されている。なお、目配置領域６２３は、ライブ画像が透けて見える程度の半透明で色を付けてもよい。
【００３８】
撮影位置の説明６２２には、椅子１４の高さを調整して、顔の位置を調整すること、などが表示されている。これに対して、ユーザは、撮影画像領域６２１のライブ画像を見ながら、背筋を伸ばしたり、再度椅子１４の高さを調整するなどして、ユーザの目が目配置領域６２３に配置されるように調整する。また、垂直ガイド線６２４及び水平ガイド線６２５に合わせて、両肩の高さが一致するように体の傾きを調整する。
【００３９】
続いて、ユーザがシャッターボタン２３を押下すると、３，２，１のカウントダウンがなされ、シャッターがきられる（ステップＳ４）。そして、シャッターがきられる毎に、撮影された静止画（撮影画像）が撮影画像領域６２１に表示される。そして、このような撮影処理を３回繰り返す。こうして、３回の撮影により３枚の撮影画像が取得されると、モニタ２１には、図１６に示す写真選択画面が表示される。
【００４０】
図１６に示すように、写真選択画面には、３回の撮影で生成された撮影画像のサムネイル６３１と、選択画像領域６３２が表示されている。すなわち、いずれかのサムネイル６３１をタッチすると、そのサムネイルに対応する撮影画像が選択画像領域６３２に表示される（ステップＳ５）。そして、ＯＫボタン６３３をタッチすると、その撮影画像が選択され、この撮影画像が編集やプリントの対象となる。
【００４１】
続いて、撮影画像の編集画面に遷移する（ステップＳ６）。まず、撮影画像の位置合わせを行う。図１７に示す位置合わせ用の画面には、選択された撮影画像が表示される撮影画像領域６３３と、移動ボタン６３４と、縮小ボタン６３５と、拡大ボタン６３６とが表示されている。ユーザは、撮影画像領域に示された２本の水平ガイドライン６３７と、１本の垂直ガイドライン６３８を参考にしつつ、上記各ボタン６３４〜６３６をタッチしながら、撮影画像領域６３３内で、撮影画像を上下左右に移動させたり、あるいは拡大縮小を行う。上側の水平ガイドライン６３７は、頭頂部として好ましい位置を示すガイドラインであり、下側の水平ガイドライン６３７は、顎位置として好ましい位置を示すガイドラインである。また、垂直ガイドライン６３８は、顔の中心線として好ましい位置を示すガイドラインである。そして、ユーザの所望の位置、大きさに撮影画像の位置、大きさが決定すると、ユーザは、次に進むボタン６１６をタッチする。これにより、撮影画像の、撮影画像領域６３３の枠内の画像が像トリミングされ、制御部３１に記憶される。なお、撮影画像領域６３３に初期表示される撮影画像の大きさ及び位置を、当該撮影画像に対する顔検出を利用することにより自動的に決定することができる。具体的には、上側の水平ガイドライン６３７に頭頂部が位置し、下側の水平ガイドライン６３７に顎が位置し、垂直ガイドライン６３８に顔の中心線が位置するように、撮影画像の位置調整及び拡大縮小を行う。
【００４２】
次に、撮影画像の肌の明るさを調整する画面が表示される。ここでは、図１８に示す画面が表示され、一例として５種類の肌の明るさを選択できるようになっている。すなわち、図１８に示す画面には、選択されたトリミングが行われた撮影画像が表示される撮影画像領域６４１と、肌の色の調整ボタン６４２と、が表示されている。いずれかの調整ボタン６４２をタッチすると、撮影画像領域６４１に表示された被写体の画像の肌の色が変化する。すなわち、公知の画像処理により、撮影画像から肌の部分を抽出し、肌の色を変化させる。
【００４３】
こうして、ＯＫボタン６４３をタッチすると、編集が完了し、モニタ２１には、図１９に示すように、プリントが開始された旨が表示される（ステップＳ７）。プリント中、モニタ２１には、例えば、アンケートや広告用の画面を表示することができる。そして、プリントが完了すると、モニタ２１には、図２０に示すように、筐体１の側面の取出口１３から写真を取り出すことを促す表示がなされる。これに対して、ユーザは、筐体１から外に出て、取出口１３からプリント写真を取り出す。
【００４４】
＜５．増毛編集処理＞
本実施形態に係る写真撮影装置には、上述した撮影画像の編集に加え、ユーザの髪を増毛するような画像処理を行うことができる。以下、この点について、詳細に説明する。
【００４５】
増毛編集処理は、撮影画像（トリミング処理及び肌の色の調整前の撮影画像でもよいし、後の撮影画像でもよい）において、被写体の髪の毛のボリュームを増大させる処理である。まず、図２１に示すように、撮影画像８０から、被写体の髪の毛に対応する髪領域８０１を抽出する。具体的には、公知の顔検出技術により、両方の眉毛のうち最も高いポイントを検出し、このポイントよりも上の領域（線Ｌよりも上の領域）において、髪の色と想定される色を検出し、この色の範囲を髪領域８０１として特定する。この場合、白を髪の色の一部として認識することもでき、このようにすると、白髪が混じった髪領域８０１を特定することができる。なお、眉毛が髪に隠れている場合など、眉毛の最も高い位置を検出できない場合には、目の位置を検出し、この目の位置から眉毛の最も高い位置を推定する。また、線Ｌは、目の位置に設定することもできる。このとき、眉毛を公知の画像処理技術で検出し、検出した髪領域から眉毛及び目を除いた領域を髪領域とすることができる。これにより、髪の毛と似た色の眉毛や目（瞳及び睫等）を除外した髪領域８０１を抽出することができる。
【００４６】
こうして、被写体の髪の毛に対応する髪領域８０１を抽出し、この髪領域８０１が１００％の透過率で透過されたマスク画像８１を生成する。すなわち、髪領域８０１とそれ以外の領域とが二値化された画像を生成する。
【００４７】
次に、図２２に示すように、このマスク画像８１を用いて、撮影画像８０から髪領域８０１を切り出し、髪画像８２を生成する。以上の髪画像８２の生成が、制御部３１の抽出部５３１により行われる。
【００４８】
続いて、この髪画像８２と撮影画像８０とを合成する。より詳細には、図２３に示すように、髪領域８０１よりも所定の画素分だけ（少なくとも、髪画像が髪領域に重なるように）、顔の上方に位置するように、髪画像８２と撮影画像８０とを比較暗合成し、合成画像を生成する。すなわち、髪画像８２と撮影画像８０とが重なる部分においては、髪画像８２の画素と撮影画像８０の各画素の明暗を比較し、暗い画素を用いて合成画像８３を生成する。例えば、撮影画像８０において、髪領域よりやや上の領域は薄い色の背景であるため、この部分に髪画像８２が合成されると、色の暗い髪画像８２の画素が合成される。また、撮影画像８０の髪領域８０１において、白髪が生じている領域に、髪画像８２が合成されると、髪画像８２の当該領域が黒髪である場合には、白髪が消され、黒髪となるように合成される。このとき、髪画像８２の輪郭が撮影画像８０の髪領域の中で目立たないように、髪画像８２の輪郭を，例えば、ガウシアンぼかしなどの画像処理によりぼかした上で、髪画像８２を撮影画像８０に合成することができる。ぼかしを行う部分は、輪郭だけでなく、髪画像８２の内部をぼかしてもよい。また、輪郭のうち、髪領域８０１と重なる部分だけをぼかしてもよい。こうして、増毛編集処理がなされた合成画像８３が生成される。以上の撮影画像８０と髪画像８２の合成が、制御部３１の合成部５３２により行われる。
【００４９】
なお、髪領域８０１と髪画像８２との境界を自然に見せるには、次のようにすることもできる。まず、合成画像８３に対して、図２１と同様の方法で合成後の髪領域８０１を検出する。そして、この髪領域８０１に対してエッジ検出を行い、当該髪領域８０１における髪の毛の流れを示すベクトルマップを作成する。そして、ベクトルマップの各ベクトル方向に合成画像８３に対してぼかし処理（ガウシアンぼかしやバイラテラルフィルタ等）を適用する。これにより、合成画像８３における、髪画像８２と撮影画像８０との境目を自然にすることができる。
【００５０】
＜６．特徴＞
以上のように、本実施形態によれば、撮影画像８０から抽出した髪の毛に相当する髪画像８２を、撮影画像８０の髪領域８０１よりもやや上に位置するように合成するため、髪のボリュームが多くなった合成画像８３を簡単に生成することができる。したがって、見栄えのよい証明写真を生成することができる。また、髪画像８２と撮影画像８０とは比較暗合成しているため、白髪を消すこともできる。
【００５１】
＜７．変形例＞
以上、本発明の一実施形態について説明したが、本発明は上記実施形態に限定されるものではなく、その趣旨を逸脱しない限りにおいて、種々の変更が可能である。なお、以下の変形例は、適宜組み合わせが可能である。
＜７−１＞
上記実施形態では、髪画像８２を、撮影画像８０の髪領域８０１からやや上方にずらして合成しているが、合成の位置は特には限定されない。例えば、髪画像８２を下方にずらすことで、髪のボリュームを多くすることもできる。また、例えば、被写体の額が広いような場合や頭頂部の毛が薄い場合は、下方に移動させた方がより増毛の効果が得られることがある。このような場合には、撮影画像から髪型（薄毛の種類）を判定して、その判定結果に基づいて髪画像の移動方向を決定するようにすることもできる。
【００５２】
また、顔の向きや傾きによっては、髪画像８２を上方にずらすと不自然な場合があるため、顔の向きや傾きを抽出し、これに応じて、髪画像をずらす方向を決定することもできる。この点について、一例を説明する。
【００５３】
上記実施形態では、線Ｌを算出するのに両方の眉毛のうち最も高いポイントを利用したが、左右２つの眉の最も高い位置同士を結んだ線を線Ｌとしてもよい。また、顔が傾いている場合には、図２４に示すように、眉毛の最も高い位置を示す線Ｌは傾く。この場合、髪領域８０１と髪画像８２とを合成する際には、顔の傾きに応じて髪画像８２をずらす方向も傾ける。すなわち、目から眉毛に近づく方向Ｓ（あるいは口から鼻に近づく方向、口から目に近づく方向など）を検出し、この方向Ｓに沿って髪画像８２を髪領域８０１に対してずらした上で合成を行う。したがって、髪画像８２をずらせる方向は、単に上方（あるいは下方）として設定するのみならず、上記のように、検出された顔の器官から方向を決めることもできる。
【００５４】
また、上記実施形態では、眉毛の最も高い部分を結ぶ線Ｌより上の髪の色と想定される色の範囲を髪領域としているが、これに限定されるものではない。例えば、上記実施形態の髪領域は、線Ｌより上の領域を用いることから、髪の毛の両側の下部を除いた部分が髪領域とされる。しかし、髪の毛の全体を髪領域とすることでき、髪の毛と概ね対応する領域であれば、本発明の紙領域とすることができる。したがって、例えば、線Ｌの設定位置を変えたり、あるいは他の方法で髪領域を特定してもよい。
【００５５】
＜７−２＞
髪画像８２の合成の方法は特には限定されず、上記のような比較暗合成を用いず、そのまま合成することもできる。
【００５６】
＜７−３＞
上記実施形態では、撮影空間１０の背面パネル３を背景として、撮影画像８０を取得し、この撮影画像８０に髪画像８２を合成しているが、次のように処理することもできる。例えば、背面パネル３を青や緑などのクロマキー処理に適した色に着色する。そして、撮影画像８０から背景を除く被写体領域をクロマキー処理によって抽出した被写体画像を生成し、この被写体画像を用いてマスク画像８１の生成、髪画像８２の生成、髪画像８２の合成を行うこともできる。
【００５７】
＜７−４＞
上記実施形態では、マスク画像８１を用いて髪画像８２を生成しているが、これ以外の方法で、撮影画像８０から髪画像８２を抽出することもでき、その方法は特には限定されない。
【００５８】
＜７−５＞
上記増毛編集処理は、ユーザの要求に応じて行うこともできるし、自動的に行うともできる。また、増毛編集処理の前後の画像をモニタ２１に切替えて表示したり、並べて表示することで、増毛編集処理の効果をユーザに視認させることもできる。あるいは、増毛の度合いをユーザに選択させることもできる。例えば、図２５に示すように、モニタ２１に髪画像の上方への移動距離の異なる３つの合成画像のサンプルを表示する。この例では、右側の画像が最も髪画像８２の移動距離が大きく（但し、図中の点線は説明の便宜のためのものであり、実際には表示しないようにすることもできる）、上方への移動距離が大きいほど、髪のボリュームを増やすことができる。そして、３つのサンプルの中からユーザに増毛の度合いを選択させることができる。但し、サンプルの数は３つに限定されない。また、ユーザのマニュアル操作で、髪画像８２の移動距離を設定することができる。
【００５９】
上記実施形態において、増毛編集処理を行う対象の撮影画像に対する顔検出が完全に失敗した場合や、顔を検出しても一部しか検出しなかった場合（例えば、目の検出に失敗した場合）、顔を検出しても顔の向きが検出できない場合などは、増毛編集処理を行わないとすることもできる。これにより、髪の毛が不自然な方向に合成され、髪の毛が変に合成されるのを防止することができる。
【００６０】
＜７−６＞
上記実施形態に係る写真撮影装置では、プリントした写真を提供しているが、最終的に生成される撮影画像８０や合成画像８３を画像データとして提供することもできる。この場合、写真撮影装置で作成された画像は、プレイ毎に作成されるユニークなＩＤ（以下、「画像ＩＤ」という）とともに画像蓄積サーバに送信され、管理される。そして、携帯端末を通じて画像蓄積サーバにアクセスし、画像ＩＤを送信することにより、当該画像ＩＤに対応する画像を画像蓄積サーバより取得することができる。
【００６１】
また、写真撮影装置では、画像ＩＤを入力すると、当該画像ＩＤに対応する画像を画像蓄積サーバより取得し、取得した画像を印刷する機能を提供することもできる。画像ＩＤの入力方法は、直接入力の他、当該画像ＩＤを示すコード情報（例えば、ＱＲコード（登録商標）を、カメラ２２（撮影画像を撮影するのと同じもの）で読み取らせてもよい。コード情報は、撮影画像８０や合成画像８３とともに紙媒体に印刷することもできるし、携帯端末にて画像を画像蓄積サーバより取得する際に、画像とともに取得することもできる。なお、画像ＩＤからコード情報への変換は、写真撮影装置及び画像蓄積サーバのいずれで行ってもよいし、両方で行ってもよい。
【００６２】
＜７−７＞
上記実施形態における撮影処理、撮影準備、画像処理などは一例であり、上述した処理の少なくとも一部を用いて処理が行われればよい。
【００６３】
＜７−８＞
上記実施形態では、本発明の写真撮影装置を証明写真の撮影装置に適用した例を示したが、増毛編集処理は、これ以外の装置に適用することもできる。例えば、撮影画像に対して落書き編集処理を行う写真撮影遊戯装置に適用することもできる。すなわち、写真撮影遊戯装置が編集処理として、増毛編集処理を行うこともできる。
【符号の説明】
【００６４】
２１  表示部（モニタ）
２２  カメラ（撮影部）
８０  撮影画像
８０１  髪領域
８１  マスク画像
８２  髪画像
８３  合成画像
【図１】
2018197796.tif 000003
【図２】
2018197796.tif 000004
【図３】
2018197796.tif 000005
【図４】
2018197796.tif 000006
【図５】
2018197796.tif 000007
【図６】
2018197796.tif 000008
【図７】
2018197796.tif 000009
【図８】
2018197796.tif 000010
【図９】
2018197796.tif 000011
【図１０】
2018197796.tif 000012
【図１１】
2018197796.tif 000013
【図１２】
2018197796.tif 000014
【図１３】
2018197796.tif 000015
【図１４】
2018197796.tif 000016
【図１５】
2018197796.tif 000017
【図１６】
2018197796.tif 000018
【図１７】
2018197796.tif 000019
【図１８】
2018197796.tif 000020
【図１９】
2018197796.tif 000021
【図２０】
2018197796.tif 000022
【図２１】
2018197796.tif 000023
【図２２】
2018197796.tif 000024
【図２３】
2018197796.tif 000025
【図２４】
2018197796.tif 000026
【図２５】
2018197796.tif 000027